(57)【要約】【課題】植物を傷めることなく、かつ、現場での施工性を向上することができる植栽マットの育成方法、搬送方法および植栽マットを提供する。【解決手段】植栽１５が設けられ、帯状に形成された植栽マット１０の育成方法であって、植栽マットを収容可能な育成トレイ３０に対して、植栽マットの一端１６が育成トレイの外周縁３７に配置されるとともに、平面視において植栽が露出するように巻回されて、植栽マットの他端１７が育成トレイの平面視略中央部Ｃに配置されている。【選択図】図６
2010226973.tif 000002
【特許請求の範囲】
【請求項１】
植栽が設けられ、帯状に形成された植栽マットの育成方法であって、
該植栽マットを収容可能な育成トレイに対して、前記植栽マットの一端が前記育成トレイの外周縁に配置されるとともに、平面視において前記植栽が露出するように巻回されて、前記植栽マットの他端が前記育成トレイの平面視略中央部に配置されていることを特徴とする植栽マットの育成方法。
【請求項２】
前記植栽マットの長さに応じて、異なる大きさの前記育成トレイが選択可能に構成されていることを特徴とする請求項１に記載の植栽マットの育成方法。
【請求項３】
請求項１または２に記載の育成方法にて育成された前記植栽マットを、前記育成トレイに配置された状態で運搬する植栽マットの運搬方法であって、
前記育成トレイに、該育成トレイを上下方向に嵌合可能な嵌合部が形成され、
複数の前記育成トレイを上下方向に積層して運搬可能に構成されていることを特徴とする植栽マットの運搬方法。
【請求項４】
請求項１〜３のいずれかに記載の前記植栽マットが、前記植栽と、該植栽の下方に配された保湿層と、該保湿層の下方に配された軟性樹脂マットと、を備えていることを特徴とする植栽マット。
【請求項５】
前記軟性樹脂マットにおける長手方向両側のうち少なくとも一側に、切込部が形成されていることを特徴とする請求項４に記載の植栽マット。
【請求項６】
前記軟性樹脂マットに透水用貫通孔が形成されていることを特徴とする請求項４または５に記載の植栽マット。
【請求項７】
前記植栽が玉竜、イワダレソウ、シバザクラ、ダイカンドラおよびヒメツルソバのいずれかであることを特徴とする請求項４〜６のいずれかに記載の植栽マット。
【発明の詳細な説明】
【技術分野】
【０００１】
本発明は、植栽マットの育成搬送方法および植栽マットに関するものである。
【背景技術】
【０００２】
近年、家庭の庭園などにおいて、石貼仕上げや土間仕上げを行う際の目地に草目地を採用することがある。草目地としては、玉竜や芝などの植物を採用することが多い。
従来、図９に示すように、草目地はシート状の定尺マット１０１上で植物を育成し、その定尺マットを現場に搬入して、現場で所定の目地サイズに切断して所定の位置に設置したり、図１０に示すように、一株ずつ植栽ポット１０２にて育成された植物をポットのまま現場に搬入し、そのまま所定の位置に設置したり、ポットから取り出した植物を目地に埋めるように施工したりしている。
また、草目地を運搬する方法としては、植物が育成された定尺マット１０１をそのまま積層したり、図１１に示すように、定尺マット１０１を植物が内側になるように丸めて運搬したりしている（例えば、特許文献１参照）。
【先行技術文献】
【特許文献】
【０００３】
【特許文献１】特開２００３−２３５３４１号公報
【発明の概要】
【発明が解決しようとする課題】
【０００４】
しかしながら、定尺マット上で植物を育成し、現場で所望のサイズに切断して設置する方法では、現場での作業に手間がかかる問題がある。また、植栽ポットで育成した植物をポットの状態で現場に搬入して施工する場合にも現場での作業に手間がかかる問題がある。
さらに、植物が育成された定尺マットを運搬する際に、定尺マットを積層すると植物が傷んでしまうという問題がある。同じく定尺マットを丸めると植物が傷んでしまうという問題がある。
【０００５】
そこで、この発明は、上述の事情を鑑みてなされたものであり、植物を傷めることなく、かつ、現場での施工性を向上することができる植栽マットの育成方法、搬送方法および植栽マットを提供するものである。
【課題を解決するための手段】
【０００６】
上記の課題を解決するために、請求項１に記載した発明は、植栽が設けられ、帯状に形成された植栽マットの育成方法であって、該植栽マットを収容可能な育成トレイに対して、前記植栽マットの一端が前記育成トレイの外周縁に配置されるとともに、平面視において前記植栽が露出するように巻回されて、前記植栽マットの他端が前記育成トレイの平面視略中央部に配置されていることを特徴としている。
【０００７】
請求項２に記載した発明は、前記植栽マットの長さに応じて、異なる大きさの前記育成トレイが選択可能に構成されていることを特徴としている。
【０００８】
請求項３に記載した発明は、上述に記載の育成方法にて育成された前記植栽マットを、前記育成トレイに配置された状態で運搬する植栽マットの運搬方法であって、前記育成トレイに、該育成トレイを上下方向に嵌合可能な嵌合部が形成され、複数の前記育成トレイを上下方向に積層して運搬可能に構成されていることを特徴としている。
【０００９】
請求項４に記載した発明は、上述のいずれかに記載の前記植栽マットが、前記植栽と、該植栽の下方に配された保湿層と、該保湿層の下方に配された軟性樹脂マットと、を備えていることを特徴としている。
【００１０】
請求項５に記載した発明は、前記軟性樹脂マットにおける長手方向両側のうち少なくとも一側に、切込部が形成されていることを特徴としている。
【００１１】
請求項６に記載した発明は、前記軟性樹脂マットに透水用貫通孔が形成されていることを特徴としている。
【００１２】
請求項７に記載した発明は、前記植栽が玉竜、イワダレソウ、シバザクラ、ダイカンドラおよびヒメツルソバのいずれかであることを特徴としている。
【発明の効果】
【００１３】
請求項１に記載した発明によれば、帯状の植栽マットを植栽が露出されるように巻回し、その植栽マットを育成トレイに収容して植栽を育成するため、植栽の生育状況を適正に保持することができる。また、このように平面内で植栽マットを巻回することにより、植栽が傷むのを防止することができる。さらに、植栽マットを予め帯状にカットすることにより、現場において植栽マットを適正サイズにカットする必要がなくなるため、現場での施工性を向上することができる。
【００１４】
請求項２に記載した発明によれば、帯状の植栽マットの長さをいくつか設定して、その長さごとに大きさの異なる育成トレイに収容して植栽を育成することにより、現場での施工性をさらに向上することができる。
【００１５】
請求項３に記載した発明によれば、トラックなどで植栽マットを運搬する際に、植栽マットが収容された育成トレイがずれるのを防止することができる。したがって、植栽が傷んでしまうのを防止することができる。
【００１６】
請求項４に記載した発明によれば、保湿層上に配された植栽が軟性樹脂マットにより容易に折曲させることができるため、植栽を育成トレイに容易に収容できたり、現場において曲線状の目地を容易に施工することができる。
【００１７】
請求項５に記載した発明によれば、軟性樹脂マットに切込部を形成することにより、より簡単に折曲させることができる。
【００１８】
請求項６に記載した発明によれば、植栽マットの水はけを良くして根が枯れるのを防止することができるとともに、植栽の根が貫通孔内に入り込むことで植栽の保持力を向上することができる。
【００１９】
請求項７に記載した発明によれば、環境適応性が高い植栽を用いることで、常に植栽が生い茂った帯状の植栽マットを施工することができる。
【図面の簡単な説明】
【００２０】
【図１】本発明の実施形態における目地マットの平面図である。
【図２】図１のＡ−Ａ線に沿う断面図である。
【図３】本発明の実施形態における軟性樹脂マットの部分拡大平面図である。
【図４】本発明の実施形態における育成トレイの斜視図である。
【図５】本発明の実施形態における育成トレイの側面図である。
【図６】本発明の実施形態における育成トレイに目地マットを収容した状態を示す平面図である。
【図７】本発明の実施形態における目地マットが収容された育成トレイの運搬時の状態を示す側面図である。
【図８】本発明の実施形態における目地マットを現場施工した状態を示す斜視図である。
【図９】従来の草目地の施工方法を説明する図（１）である。
【図１０】従来の草目地の施工方法を説明する図（２）である。
【図１１】従来の草目地の運搬方法を説明する図である。
【発明を実施するための形態】
【００２１】
次に、本発明の実施形態を図１〜図８に基づいて説明する。なお、本実施形態では、玉竜を用いた目地マットの場合について説明する。また、本実施形態では玉竜（植栽）が育つ方向を上方向とし、植栽の根が育つ方向を下方向とする。
【００２２】
図１、図２に示すように、目地マット１０は、帯状に形成された軟性樹脂マット１１と、軟性樹脂マット上に設けられた保湿層１３と、保湿層１３上に植えられた玉竜１５と、を備えている。目地マット１０は、例えば幅５ｃｍ、長さ２ｍ程度の大きさを有する帯状のものであり、保湿層１３を覆うように玉竜１５が植えられている。
【００２３】
図３に示すように、軟性樹脂マット１１は、例えばウレタンゴムなどで形成された伸縮性を有する帯状部材で構成されている。軟性樹脂マット１１における長手方向両側には切込部２１がそれぞれ略等間隔に形成されている。また、両側に形成された切込部２１は、平面視において千鳥状に交互になるように形成されている。このように切込部２１を形成することにより、軟性樹脂マット１１は平面内において折曲容易に構成される。さらに、軟性樹脂マット１１には、上下方向に貫通する貫通孔２３が形成されている。貫通孔２３は複数形成されており、透水用および根絡み用として用いられる。
【００２４】
保湿層１３は、例えば杉の木などを糸状に絡めたものを採用し、玉竜１５を保持できるように構成されている。また、保湿層１３には培養土が混在されており玉竜１５が確実に育成されるようになっている。なお、保湿層１３は軟性樹脂マット１１上に載置しただけの状態で配されている。
【００２５】
次に、目地マット１０の育成方法について説明する。
目地マット１０を育成する際には、図４に示す育成トレイ３０内に目地マット１０を収容した状態で育成する。
【００２６】
育成トレイ３０は、例えば樹脂などで形成された略円筒状の本体部３１と、本体部３１内に目地マット１０を保持するための底板３３と、を備えている。底板３３は排水できるように例えば網目状に形成されたものを採用する。本体部３１の大きさ（直径）は、目地マット１０の長さに対応して複数のものが用意されている。さらに、図５に示すように、本体部３１の上下端部には、例えば凹凸形状の嵌合部３５，３６が周方向に沿ってそれぞれ形成されている。嵌合部３５，３６の形状は略同一形状になっており、育成トレイ３０は上下方向に安定して積載可能に構成されている。
【００２７】
図６に示すように、育成トレイ３０内に目地マット１０を収容する際は、目地マット１０の玉竜１５が露出するように上向きに配置させる。具体的には、目地マット１０の一端部１６を本体部３０の外周縁３７に当接するように配置し、本体部３０の中央部Ｃに向かって平面内で渦巻状に巻回させて、目地マット１０の他端部１７が中央部Ｃ近傍に配されるようにして収容する。
【００２８】
このように育成トレイ３０内に目地マット１０を収容した状態で玉竜１５を育成させる。玉竜１５に供給された水は保湿層１３に必要分だけ保持され、余分な水分は軟性樹脂マット１１を透過して育成トレイ３０の底板３３から育成トレイ３０外へ排出される。そして、玉竜１５が所望の大きさに成長するまで育成する。
【００２９】
次に、目地マット１０の運搬方法について説明する。
図７に示すように、目地マット１０を運搬する際には、育成トレイ３０に収容したままの状態で運搬する。また、育成トレイ３０は上下方向に複数積層された状態で運搬される。つまり、育成トレイ３０に目地マット１０を収容した状態で運搬することで、上下方向に積層されている目地マット１０同士が接触することがなくなるため、玉竜１５が傷んでしまうのを防止することができ、良好な状態で玉竜１５を運搬することができる。また、育成トレイ３０には嵌合部３５，３６が形成されているため、育成トレイ３０が転倒するのを防止することができる。さらに、育成トレイ３０は、現地に目地マット１０を運搬して目地マット１０を取り出した後は、再利用することができるため、廃棄物の削減を図ることができる。
【００３０】
次に、目地マット１０の現地での施工方法について説明する。
図８に示すように、現地に搬入されてきた目地マット１０は、草目地として土間仕上げ箇所や石貼り仕上げ箇所に形成される目地部に設置される。目地マット１０は予め目地幅に合わせた幅で形成されているため、現地で目地幅に合わせて切断する作業を省略することができる。また、目地に必要な長さ分の目地マット１０を搬入することで、現地で目地長さに合わせて切断する作業も最小限に抑えることができる。
【００３１】
なお、育成トレイ３０を例えば目地長さ１ｍ用、２ｍ用、３ｍ用として大きさ（直径）が異なる複数種類のものを用いて育成することにより、現地での目地長さが６ｍ必要な場合には、１ｍ用の育成トレイ３０を６個搬入してもよいし、２ｍ用の育成トレイ３０を３個搬入してもよいし、３ｍ用の育成トレイ３０を２個搬入してもよいし、１ｍ用・２ｍ用・３ｍ用の育成トレイ３０をそれぞれ１個ずつ搬入してもよい。このように育成トレイ３０のサイズにバリエーションを持たせることにより、現場での施工計画に応じて最小限の現地作業で施工することができるようになる。
【００３２】
また、目地マット１０には軟性樹脂マット１０が設けられているため、目地マット１０を容易に屈曲させることができ、波形形状の目地なども容易に施工することができる。
【００３３】
本実施形態によれば、帯状の目地マット１０を玉竜１５が露出されるように渦巻状に巻回し、その目地マット１０を育成トレイ３０に収容して玉竜１５を育成するため、玉竜１５の生育状況を適正に保持することができる。また、このように平面内で目地マット１０を巻回することにより、玉竜１５が傷むのを防止することができる。さらに、目地マット１０を予め帯状にカットすることにより、現場において目地マット１０を適正サイズにカットする必要がなくなるため、現場での施工性を向上することができるとともに、完成度の高い綺麗な草目地を施工することができる。
【００３４】
また、帯状の目地マット１０の長さをいくつか設定して、その長さごとに大きさの異なる育成トレイ３０に収容して玉竜１５を育成することにより、現場での施工性をさらに向上することができる。
【００３５】
また、育成トレイ３０に嵌合部３５，３６を形成することにより、トラックなどで目地マット１０を運搬する際に、目地マット１０が収容された育成トレイ３０がずれるのを防止することができる。したがって、玉竜１５が傷んでしまうのを防止することができる。
【００３６】
また、軟性樹脂マット１１上に玉竜１５を配することにより、目地マット１０を容易に折曲させることができるため、目地マット１０を育成トレイ３０に容易に収容できたり、現場において曲線状の草目地を容易に施工することができる。
【００３７】
また、軟性樹脂マット１１に切込部２１を形成することにより、より簡単に折曲させることができる。
【００３８】
さらに、軟性樹脂マット１１に貫通孔２３を形成することにより、目地マット１０の水はけを良くして根が枯れるのを防止することができるとともに、玉竜１５の根が貫通孔２３内に入り込むことで玉竜１５の保持力を向上することができる。
【００３９】
そして、目地マット１０の植栽として環境適応性が高い玉竜１５を用いることで、常に玉竜１５が生い茂った帯状の目地マット１０を草目地として施工することができる。
【００４０】
なお、本発明は、上述の実施形態に限定されるものではなく、本発明の趣旨を逸脱しない範囲において、種々の変更を加えることが可能であり、実施形態で挙げた具体的な材料、形状や構成などはほんの一例に過ぎず、適宜変更が可能である。
例えば、本実施形態において、目地マットの植栽として玉竜を用いた場合の説明をしたが、それ以外の植物、例えば、イワダレソウ、シバザクラ、ダイカンドラおよびヒメツルソバなどを用いてもよい。
また、本実施形態において、軟性樹脂マットに貫通孔を形成した場合の説明をしたが、軟性樹脂マットの切込部を介して水が透過可能になり、切込部に根が絡むようになっている場合には貫通孔は設けなくてもよい。
また、本実施形態において、軟性樹脂マットに切込部を長手方向両側に形成したが、片側のみに形成する構成でもよい。また、切込部の形状は軟性樹脂マットが平面上で渦巻状に容易に巻回できるものであればよい。
また、本実施形態において、目地マットに軟性樹脂マットを設けた場合の説明をしたが、保湿層および植栽（玉竜）のみで所望の形状を保持できる場合には、軟性樹脂マットは設けなくてもよい。
【符号の説明】
【００４１】
１０…目地マット（植栽マット）  １１…軟性樹脂マット  １３…保湿層  １５…玉竜（植栽）  １６…一端部（一端）  １７…他端部（他端）  ２１…切込部  ２３…貫通孔（透水用貫通孔）  ３０…育成トレイ  ３５…嵌合部  ３６…嵌合部  ３７…外周縁  Ｃ…中央部
【図１】
2010226973.tif 000003
【図２】
2010226973.tif 000004
【図３】
2010226973.tif 000005
【図４】
2010226973.tif 000006
【図５】
2010226973.tif 000007
【図６】
2010226973.tif 000008
【図７】
2010226973.tif 000009
【図８】
2010226973.tif 000010
【図９】
2010226973.tif 000011
【図１０】
2010226973.tif 000012
【図１１】
2010226973.tif 000013